(57)【要約】      （修正有）【課題】ユーザの情報入力に関する各種制限機能及びペンを通した付加情報の取得機能をペン側に持たせるスタイラスペンを提供する。【解決手段】スタイラスペンは、無線受信機１０１と、受信した信号により動作する静電気制御部１０３と、静電気制御部１０３により液晶面に信号を伝搬する導電体１０５と、導電帯周辺に取り付けられた情報取得部１０９と、情報取得部１０９が取得した情報を格納する情報格納部１１１と、情報格納部１１１の情報を送信する無線送信機１１３と、を有する。【選択図】図１
2022003439.tif 000002
【特許請求の範囲】
【請求項１】
無線受信機と、当該無線受信機が受信した信号により動作する静電気制御部と、当該静電気制御部により液晶面に信号を伝搬する導電体と、当該導電体周辺に取り付けられた情報取得部と、当該情報取得部が取得した情報を格納する情報格納部と、当該情報格納部の情報を送信する無線送信機と、からなる多機能スタイラスペンとする。
【請求項２】
請求項1に記載の前記情報取得部はジャイロセンサーを用いて筆記文字データを得ることを特徴とする多機能スタイラスペン。
【請求項３】
請求項1乃至２に記載の前記情報取得部はGPSを用いて当該多機能スタイラスペンの所在地を得ることを特徴とする多機能スタイラスペン。
【請求項４】
請求項１乃至３に記載の前記情報取得部は静脈流センサを用いて使用者の生体データを得ることを特徴とする多機能スタイラスペン。
【発明の詳細な説明】
【技術分野】
【０００１】
電子端末の入力手段の１つであるところのスタイラスペンの高機能化に関する。
【背景技術】
【０００２】
ＩＴ機器のユーザーインタフェースとしてキーボードやマウス以外にもスタイラスペンを用いた入力がよく知られている。スタイラスペンの入力方式としては大きく分けて２種類ある。一つは携帯ゲーム機や自動車用ナビゲーションシステムで多用されている感圧式であり、もう一つはスマートホンなどタッチパネルが用いられている端末に情報を入力するための静電容量式である。
【先行技術文献】
【特許文献】
【０００３】
【特許文献１】特開２０１９−２０７５９６
【発明の概要】
【発明が解決しようとする課題】
【０００４】
スタイラスペンのような電子ペンにおいては、例えば特許文献１では、筆圧が閾値を超えているかどうかによって、利用者が情報を入力しようとしているのかどうかを判別する機能があり、筆圧が閾値を超えている場合のみ端末側が情報を受信する技術が紹介されている。
【０００５】
しかるに、従来はペン自体が情報を入力するための切り替え制御装置を搭載している例が無く、ユーザの意思や行動形態や生体情報はペンを使った情報入力を通して端末側がソフトウエア等で識別するなどの高機能化手段が採られていた。
【０００６】
このように、ユーザの情報入力に関する各種制限や、ペンを通した付加情報の取得に関し、その機能をペン側に持たせることは難しく、このことによって端末における情報取得の制御を不要にできず、システムを安価にすることが困難であった。
【０００７】
また、主催者と受講者のような関係で受講者が本発明に係るペンを利用すれば、主催者は受講者の情報入力を制御でき、さらに、付加情報として受講者の各種情報を取得することが可能になるが、従来のペンでは実現できなかった。さらに主催者が用意した本発明に係るペンを受講者が用いることにより、受講者が個人所有のモバイル端末等を用いても、主催者の意思に沿った情報入力を受講者にさせることが可能になるが、従来のペンは電子制御部や各種センサを搭載していないため、これを実現出来なかった。
【課題を解決するための手段】
【０００８】
前記課題を解決するために本発明は、
無線受信機と、受信した信号により動作する静電気制御部と、静電気制御部により液晶面に信号を伝搬する導電体と、導電帯周辺に取り付けられた情報取得部と、情報取得部が取得した情報を格納する情報格納部と、情報格納部の情報を送信する無線送信機と、からなる多機能スタイラスペンとする。
【０００９】
また本発明は、前記情報取得部はジャイロセンサーを用いて筆記文字データを得ることを特徴とする多機能スタイラスペンとする。
【００１０】
また本発明は、前記情報取得部はGPSを用いて当該多機能スタイラスペンの所在地を得ることを特徴とする多機能スタイラスペンとする。
【００１１】
また本発明は、前記情報取得部は静脈流センサを用いて使用者の生体データを得ることを特徴とする多機能スタイラスペンとする。
【発明の効果】
【００１２】
本発明によれば、情報端末に依存することなく、本発明に係るスタイラスペンがユーザの文字入力情報や位置情報や生体情報等を取得出来るようになる。また、これを遠隔で閲覧することもできる。ユーザーインタフェースの機能向上にあたっては情報端末に依存することなく、スタイラスペンをアップデートすることで完結する。
【００１３】
また、主催者と受講者の関係で受講者が本発明に係るスタイラスペンを用いる場合、主催者は遠隔で当該スタイラスペンを制御できるため、動作のオン・オフや、テレビ会議などの場合でも受講者の実際の存在位置や、精神状態を知るための心拍データ等を把握することが可能になる。さらに、当該情報取得にあたっては受講者の端末は個人所有のモバイル端末でもよいため、システム全体の低価格化もはかれる。
【図面の簡単な説明】
【００１４】
【図１】全体構成図
【図２】自己静電発生型スタイラスペンの原理
【図３】スタイラスペンのインターネット接続
【図４】ＩｏＴとしてのスタイラスペン
【発明を実施するための形態】
【００１５】
以下、本発明の実施の形態を、図面を参照しながら詳細に説明する。
【実施例】
【００１６】
タッチパネルには大きく２つの種類がある。一つは感圧式であり、もう一つは静電容量式である。感圧式は例えば銀行ＡＴＭに用いられている場合が多く、圧力を検知するフィルムが実装されており、指などのポインティングデバイスがパネルのどこを触っているかを判別するものである。
【００１７】
静電容量式はパネルに指先が近付いた際の静電容量の変化をディスプレーに搭載したフィルムで検知するものである。このフィルムには規則的にパターンが刻まれており、静電容量の変化の大きいブロックに指が触れたとわかるものである。
【００１８】
この静電容量式を使うにあたって、スタイラスペンと呼ばれるデバイスを用いる場合には２つの方式がある。一つは電気伝導効率の高い導体で作られたペン先を持つものであり、このペン先にはメッシュ状の金属などが搭載されている。従ってこの方式ではペン先が太くなってしまうという欠点がある。
【００１９】
もう一つは自己静電発生タイプと呼ばれるもので、欠点として電源が必要なことが挙げられるが、交流電界を発生させることが出来ればペン先を細くすることが可能である。
【００２０】
図２は前記自己静電発生タイプの模式図である。
端末の表示面２０１は規則的なパターンを持っておりそれぞれのブロックから交流電界２０３が発生している。自己静電発生タイプのスタイラスペン２０５は前記交流電界２０３を打ち消すような電界２０７を出力し、これによって打ち消された交流電界２０３をフィルムなどの端末の表示面２０１が検知することで領域を確定させる。
【００２１】
自己静電発生タイプのスタイラスペン２０５を用いることで、スタイラスペンの動作のオン・オフの制御が可能となり、本発明にかかる高機能化が実現できる。
【００２２】
図１は前記スタイラスペンの内部構成を示したものである。
【００２３】
無線受信機１０１は制御信号を受信する。ここで制御信号とは、例えば受験の際の講師と受験生の関係において、定刻に試験を開始する場合のスタイラスペンからの入力の許可・不許可の信号であり、講師は筆記可能信号を送出することで受験生のスタイラスペンが入力可能状態になり、筆記できるようになるものであり、そのトリガ信号を受信するのである。
【００２４】
また、このトリガにより実行されるのは電源のオン・オフのみではなく、後述するように筆記文字の特徴データを取得する場合や、受験生の位置情報を取得する場合や、生体情報を取得する場合など、スタイラスペンに搭載するセンサによって可能になる様々なものも含む。
【００２５】
前記無線受信機１０１が受信した信号は静電気制御部１０３に伝送され、スタイラスペンの動作のオン・オフを制御する信号に変換される。また、情報取得部１０９がスタイラスペン使用者の何をセンシングするかを制御する。
【００２６】
導電体１０５は前記静電気制御部１０３の制御信号を受け、交流電界を発生させ、情報端末の液晶面１０７をポインティングする。液晶面１０７は小さなエリア単位で交流電界が発生しており、前記のように導電体１０５が発する交流電界と打ち消しあい、それを検出することで導電体１０５の座標を取得する。
【００２７】
情報取得部１０９は当該スタイラスペン及びスタイラスペン使用者に関する種々の情報を取得する。ジャイロセンサーを搭載すればスタイラスペンの動作軌跡を取得でき、使用者の筆跡を得ることができる。また、ＧＰＳを搭載すれば当該スタイラスペンの所在地を得ることができる。また、静脈流センサや脈拍測定センサ等を搭載すれば使用者の生体情報を得ることができる。
【００２８】
情報格納部１１１は前記情報取得部１０９が取得した各種データを必要なフォーマットで格納し、無線送信機１１３を介して送信する。送信先は遠隔のクラウドや、無線受信機１０１に制御信号を送信したリモート側の機器などが考えられる。
【００２９】
前記静電気制御部１０３と前記情報取得部１０９の動作は、予めプログラミングしたものを当該箇所に持っておき、前記無線受信機１０１からトリガ信号を受けてプログラムを動作してもよいし、動作そのものの指示を前記無線受信機１０１から得てもよい。
【００３０】
トリガ信号を受ける場合は、前記無線受信機１０１の部分を受光部に換えて光信号による動作開始でもよいし、または受音部に換えて音響信号による動作開始でもよい。
【００３１】
また、当該スタイラスペンをインターネット接続し、クラウドサーバ等のリモート側と連系することで前記各種制御を行うことも考えられる。図３にスタイラスペンをインターネット接続する場合を示す。同図の場合、当該スタイラスペンはＩｏＴ（Ｉｎｔｅｒｎｅｔ  ｏｆ  Ｔｈｉｎｇｓ）の一種である。
【００３２】
図3において、クラウド３０１からインターネット回線３０５を介してスタイラスペン３０３を制御する。制御の内容は前記のように、入力のオン・オフや位置情報取得や生態情報取得などがありうる。
【００３３】
図４はゲートウェイ接続方式のＩｏＴを示したものであり、ゲートウェイ４０７を介してスタイラスペン内の電源制御４０１、ＧＰＳ４０３、生体センサ４０５等の取得データと、クラウド側のデータ４０９が送受信される。なお、当該送受信するデータはここであげたものに限定するものではない。
【００３４】
本実施例によれば、例えばオンライン授業での定期テストや入学試験などにおいて、電源オン・オフの制御を外部から出来ることを利用し、制限時間内での平等な実施が可能になる。この場合は、一定時間で書けなくなるプログラムを搭載したスタイラスペンのタイマー開始のトリガを本発明の制御でかけることも可能である。また、リモート側で記載事項を把握出来るため不正行為の管理も可能になる。また、筆記の癖を見つけ、矯正させるサポートが可能になる。また、クレジットカードの不正サインを発見することも可能になる。
【図１】
2022003439.tif 000003
【図２】
2022003439.tif 000004
【図３】
2022003439.tif 000005
【図４】
2022003439.tif 000006